(57)【要約】【課題】  配線・配管材が外力を受ける場合であっても、ホコリや水の進入を防ぐことができるブッシングを提供する。【解決手段】  ブッシング４は、延設部１３ａと、その延設部１３ａを囲む基部１３ｇとを備える。延設部１３ａは、可撓性を有して、配線材２を覆うことができるように、外側から内側に向かって延設される、そして、延設部１３ａの、外縁１３ｂに対する内縁１３ｃは、所定の方向１０１に偏心位置している。そこで、配線材２が外力を受ける場合に、ブッシング４を、そのブッシング４の前記所定の方向１０１が、配線材２が受ける外力の方向１０２とほぼ一致するようにする。こうすることで、配線材２が外力を受けてその外力の方向１０２にずれようとしても、外力の方向１０２への配線材２のずれが制限される。【選択図】  図２
2005237120.tif 000002
【特許請求の範囲】
【請求項１】
被取付体における配線・配管材の引込・引出孔に配置されるブッシングであって、
前記配線・配管材が挿通される本体部と、その本体部を前記被取付体に取り付けるための取付部とを備え、
前記本体部は、前記配線・配管材を覆うことができるように、外側から内側に向かって延設される、可撓性を有する延設部を備え、
前記延設部の、外縁に対する内縁は、所定の方向に偏心位置していることを特徴とするブッシング。
【請求項２】
前記延設部の内縁によって形成される通孔は、前記所定の方向側に開放しており、その開放する開放部を塞ぐように前記被取付体が位置することを特徴とする請求項１に記載のブッシング。
【請求項３】
前記延設部には、その内縁から外縁に向かって切り込まれた切込みが形成されていることを特徴とする請求項１または２に記載のブッシング。
【請求項４】
前記延設部は、前記引込・引出孔が貫通する方向に並ぶ、第１の延設部と第２の延設部とを備え、
前記第１の延設部の内縁によって形成される第１の通孔と、前記第２の延設部の内縁によって形成される第２の通孔とは、その大きさが異なっていることを特徴とする請求項１ないし３のいずれか１項に記載のブッシング。
【請求項５】
前記本体部は、前記延設部と一体に形成されてその延設部の外縁を囲む基部を備えることを特徴とする請求項１ないし４のいずれか１項に記載のブッシング。
【請求項６】
前記本体部は、前記基部を囲んでその基部よりも硬質の囲み部を備えることを特徴とする請求項５に記載のブッシング。
【請求項７】
前記ブッシングは、前記延設部および前記基部を有する第１部材と、その第１部材よりも硬質の材料からなり前記囲み部を有する第２部材と、からなり、
前記取付部は、前記第２部材に設けられて前記被取付体に係合する係合部を有することを特徴とする請求項６に記載のブッシング。
【請求項８】
請求項１ないし７に記載のブッシングを備えた配線・配管材の引込・引出構造であって、
前記ブッシングは、そのブッシングの前記所定の方向が、前記本体部を挿通する前記配線・配管材が受ける外力の方向とほぼ一致するようにして、前記引込・引出孔に配置されることを特徴とする配線・配管材の引込・引出構造。
【発明の詳細な説明】
【技術分野】
【０００１】
この発明は、配線・配管材の引込・引出孔に配置されるブッシング、および配線・配管材の引込・引出構造に関するものである。
【背景技術】
【０００２】
従来、配線ボックスのケーブル引出孔等に取着されるブッシングであって、ホコリがボックス内に入るのを防止すべく、ケーブルを保持するとともに前記引出孔を閉塞するものがあった（例えば、特許文献１参照）。このブッシングは、図１２に示されるように、ブッシング３１を挿通する各種径のケーブルに対応するように、中心の通孔３２から放射状に延びるスリット３３によって分離された舌片３４を備えていた。
【０００３】
【特許文献１】特開平１１−２３４８６４号公報
【発明の開示】
【発明が解決しようとする課題】
【０００４】
ところで、前記従来のブッシング３１においては、ケーブルが、ボックスの内外で外力により、引出孔に対して偏って配設されると、その偏り側とは反対側の舌片３４とケーブルとの間に隙間が生じ、その隙間から、ホコリや水が進入する虞があった。
【０００５】
この発明は、上記した従来の欠点を解決するためになされたものであり、その目的とするところは、配線・配管材が外力を受ける場合であっても、ホコリや水の進入を防ぐことができるブッシング、および配線・配管材の引込・引出構造を提供することにある。
【課題を解決するための手段】
【０００６】
この発明に係るブッシング、および配線・配管材の引込・引出構造は、前記目的を達成するために、次の構成からなる。すなわち、
請求項１に記載の発明に係るブッシングは、被取付体における配線・配管材の引込・引出孔に配置されるブッシングである。このブッシングは、前記配線・配管材が挿通される本体部と、その本体部を前記被取付体に取り付けるための取付部とを備える。ここで、前記本体部は、前記配線・配管材を覆うことができるように、外側から内側に向かって延設される、可撓性を有する延設部を備える。そして、前記延設部の、外縁に対する内縁は、所定の方向に偏心位置している。これにより、引込・引出孔を通る配線・配管材が外力を受ける場合に、ブッシングを、そのブッシングの前記所定の方向が、配線・配管材が受ける外力の方向とほぼ一致するようにして、前記引込・引出孔に配置する。こうすることで、配線・配管材が前記外力を受けてその外力の方向にずれようとしても、延設部の内縁もまた、延設部の外縁に対してその所定の方向（すなわち前記外力の方向）に偏心位置しているため、前記外力の方向への配線・配管材のずれが制限される。したがって、配線・配管材と、延設部における前記外力の方向とは反対方向の側にある部分との間に隙間が生じ難い。
【０００７】
また、請求項２に記載の発明に係るブッシングのように、請求項１に記載のブッシングにおいて、前記延設部の内縁によって形成される通孔は、前記所定の方向側に開放しており、その開放する開放部を塞ぐように前記被取付体が位置してもよい。これにより、配線・配管材を配設する際に、その配線・配管材を前記開放部から前記通孔に嵌めて、その後に、このブッシングを被取付体に取り付けることで、その配設作業が容易となる。
【０００８】
また、請求項３に記載の発明に係るブッシングのように、請求項１または２に記載のブッシングにおいて、前記延設部には、その内縁から外縁に向かって切り込まれた切込みが形成されるのが望ましい。このように、延設部に切込みを形成することで、各種径の配線・配管材に容易に対応することができる。
【０００９】
また、請求項４に記載の発明に係るブッシングのように、請求項１ないし３のいずれか１項に記載のブッシングにおいて、前記延設部は、前記引込・引出孔が貫通する方向に並ぶ、第１の延設部と第２の延設部とを備え、前記第１の延設部の内縁によって形成される第１の通孔と、前記第２の延設部の内縁によって形成される第２の通孔とは、その大きさが異なっていてもよい。このように、延設部を複数設け、それら延設部の内縁によって形成される通孔の大きさを異ならせることで、各種径の配線・配管材に的確に対応することができる。
【００１０】
また、請求項５に記載の発明に係るブッシングのように、請求項１ないし４のいずれか１項に記載のブッシングにおいて、前記本体部は、前記延設部と一体に形成されてその延設部の外縁を囲む基部を備えてもよい。こうして、本体部が基部を備えることで、延設部は、その基部によって安定して支持される。
【００１１】
また、請求項６に記載の発明に係るブッシングのように、請求項５に記載のブッシングにおいて、前記本体部は、前記基部を囲んでその基部よりも硬質の囲み部を備えてもよい。こうして、本体部が、基部を囲んで基部よりも硬質の囲み部を備えることで、その囲み部と基部とによって、延設部は、一層安定して支持される。
【００１２】
また、請求項７に記載の発明に係るブッシングのように、請求項６に記載のブッシングにおいて、前記ブッシングは、前記延設部および前記基部を有する第１部材と、その第１部材よりも硬質の材料からなり前記囲み部を有する第２部材と、からなり、前記取付部は、前記第２部材に設けられて前記被取付体に係合する係合部を有してもよい。このように、囲み部を有して硬質の材料からなる第２部材に、被取付体に係合する係合部を設けることで、このブッシングは、被取付体に確実に取り付けられる。
【００１３】
また、請求項８に記載の発明に係る配線・配管材の引込・引出構造は、請求項１ないし７に記載のブッシングを備えた配線・配管材の引込・引出構造であって、前記ブッシングは、そのブッシングの前記所定の方向が、前記本体部を挿通する前記配線・配管材が受ける外力の方向とほぼ一致するようにして、前記引込・引出孔に配置される。これにより、配線・配管材が外力を受けてその外力の方向にずれようとしても、延設部の内縁もまた、延設部の外縁に対してその所定の方向（すなわち前記外力の方向）に偏心位置しているため、前記外力の方向への配線・配管材のずれが制限される。したがって、配線・配管材と、延設部における前記外力の方向とは反対方向の側にある部分との間に隙間が生じ難い。
【発明の効果】
【００１４】
この発明に係るブッシング、および配線・配管材の引込・引出構造によれば、配線・配管材が外力を受けてその外力の方向、すなわち所定の方向にずれようとしても、そのずれが制限されて、配線・配管材と、延設部における前記外力の方向とは反対方向の側にある部分との間に隙間が生じ難い。したがって、このように配線・配管材が外力を受ける場合であっても、延設部部分からの、ホコリや水の進入を防ぐことができる。
【発明を実施するための最良の形態】
【００１５】
以下、この発明に係るブッシング、および配線・配管材の引込・引出構造を実施するための最良の形態を図面に基づいて説明する。
【００１６】
図１ないし図９は、本発明に係るブッシング、および配線・配管材の引込・引出構造の一実施の形態を示す。図中符号１は、建物の壁である。１ａは、前記壁１に明けられた壁孔である。２は、配線材である。３は、被取付体としての引込カバーであり、前記壁１に、その壁孔１ａを覆うようして取付固定される。４は、ブッシングであり、前記引込カバー３における配線材２の引込孔３ａに配置される。５は、前記ブッシング４を備えて、前記引込孔３ａを外力を受けて通る配線材２の引込構造である。
【００１７】
ここで、引込カバー３は、図１に示すように、配線材２の、壁孔１ａへの引込み部を保護するものである。この引込カバー３は、ベース体６と、そのベース体６に取り付けられるカバー７とからなる。そして、ベース体６は、ベース８と、パッキン９と、補助ベース１０とからなる。
【００１８】
ベース８は、略四角形の盤状に形成されている。このベース８には、その中央よりも若干上に、壁孔１ａと対応するように、孔８ａが明けられている。そして、この孔８ａが下方に開口するように、ベース８には、孔８ａと下辺とを連通する連通部８ｂが形成されている。また、孔８ａの内周には、壁１内に配設される鞘管１１を係止するために、突起８ｃが設けられている。
【００１９】
パッキン９は、ベース８と類似の形状であり、このパッキン９には、ベース８と同様に、孔９ａと連通部９ｂとが形成されている。そして、パッキン９は、壁１に当接するように、ベース８の裏面に取り付けられる。
【００２０】
補助ベース１０は、ベース８の連通部８ｂを塞ぐように、ベース８における連通部８ｂを挟む両側に掛け渡される。この補助ベース１０には、ブッシング４を取り付けるための、被係合部１０ａが設けられている（図５参照）。詳細には、この被係合部１０ａは、補助ベース１０の両側部に明けられた被係合孔１０ｂの周縁からなる。そして、補助ベース１０には、被係合孔１０ｂ、１０ｂ間に、円弧状に窪む受け部１０ｃが設けられている。そして、この受け部１０ｃには、後述する他の鞘管１２を係止するための突起１０ｄが設けられている。
【００２１】
カバー７は、ベース体６の前面側を覆うように、後方に開口するボックス形状をしている。そして、配線材２の、壁孔１ａへの引込み部は、このカバー７とベース体６との間に形成される空間に収容される。また、このカバー７の下壁７ａには、上下に貫通し、かつ後方に開放する凹部７ｂが明けられている。そして、この凹部７ｂと、補助ベース１０（詳細には、受部１０ｃ）により、前記引込孔３ａが形成される（図２参照）。
【００２２】
ブッシング４は、配線材２が挿通される本体部１３と、その本体部１３を引込カバー３に取り付けるための取付部１４とを備える。本体部１３は、延設部１３ａを備えている。この延設部１３ａは、可撓性を有して、配線材２を覆うことができるように、外側から内側に向かって延設されている（図６参照）。ここで、この延設部１３ａの、外縁１３ｂに対する内縁１３ｃ（詳細には、内縁１３ｃによって形成される通孔１３ｄ）は、所定の方向１０１に偏心位置している。また、この延設部１３ａの内縁１３ｃによって形成される通孔１３ｄは、前記所定の方向１０１側に開放している。そして、その開放する開放部１３ｅを塞ぐように前記引込カバー３（詳細には、補助ベース１０の受け部１０ｃ）が位置する。つまり、前記所定の方向１０１は、壁１の前面側から壁裏に向かう方向となっている。また、この延設部１３ａには、その内縁１３ｃから外縁１３ｂに向かって切り込まれた切込み１３ｆが形成されている。
【００２３】
配線材２の引込構造５においては、ブッシング４は、そのブッシング４の前記所定の方向１０１が、本体部１３（詳細には通孔１３ｄ）を挿通する配線材２が受ける外力の方向１０２とほぼ一致（一致を含む）するようにして、引込孔３ａに配置される。すなわち、壁１の前面に沿って配設される配線材２は、ブッシング４（詳細には本体部１３の通孔１３ｄ）を挿通して引込カバー３の内側に導かれ、さらに、引込カバー３の孔８ａ、９ａおよび壁孔１ａを通って壁裏に導かれ、このため、配線材２は、前記所定の方向１０１となる、壁１の前面側から壁裏に向かう方向を向く外力を受けることとなる（図１参照）。
【００２４】
また、図示実施の形態においては、延設部１３ａは、前記引込カバー３の引込孔３ａが貫通する方向（詳細には、上下方向）に並ぶ、第１の延設部２０１と第２の延設部２０２とを備えている。そして、第１の延設部２０１の内縁１３ｃによって形成される第１の通孔２１１と、第２の延設部２０２の内縁１３ｃによって形成される第２の通孔２１２とは、その大きさが異なっている。詳細には、引込カバー３に対して、第１の延設部２０１は、相対的に内側に位置し、第２の延設部２０２は、相対的に外側に位置している。すなわち、図示実施の形態においては、第１の延設部２０１が上側となり、第２の延設部２０２が下側となるように並んでいる。そして、第１の通孔２１１が相対的に小となり、第２の通孔２１２が相対的に大となっている。
【００２５】
また、本体部１３は、延設部１３ａ（２０１、２０２）の他に、基部１３ｇを備えている。この基部１３ｇは、延設部１３ａと一体に形成されてその延設部１３ａの外縁１３ｂを囲んでいる。さらに、本体部１３は、囲み部１３ｈを備えている。この囲み部１３ｈは、基部１３ｇよりも硬質であって、基部１３ｇを囲んでいる。
【００２６】
具体的には、ブッシング４は、前記延設部１３ａおよび前記基部１３ｇを有する第１部材１５と、その第１部材１５よりも硬質の材料からなり前記囲み部１３ｈを有する第２部材１６と、からなる。そして、取付部１４は、第２部材１６に設けられて引込カバー３（詳細には、補助ベース１０の被係合部１０ａ）に係合する係合部１４ａを有する。
【００２７】
より具体的には、ブッシング４における第１部材１５は、例えば、合成ゴムとか合成樹脂等のエラストマーからなる。ここで、基部１３ｇは、後方が開放する断面略円弧形状をしており、この基部１３ｇの外周面には、後述の突起１３ｊが嵌まるよう、溝１３ｉが形成されている。また、第１部材１５は、基部１３ｇの断面略円弧形状の各側端から両側方に延出して形成される取付補助部１４ｂを有している。そして、取付補助部１４ｂには、孔１４ｃが明けられている。
【００２８】
また、延設部１３ａ、すなわち、第１および第２の延設部２０１、２０２は、基部１３ｇから、内方に延設されるとともに、図示実施の形態においては、若干基部１３ｇの後方に延設されて形成されている。そして、通孔１３ｄ、すなわち、第１および第２の通孔２１１、２１２は、前方側が、半円状に形成され、後方側が、その半円と連続して一定幅に形成されている。
【００２９】
一方、第２部材１６は、例えば、ＡＢＳ樹脂等の硬質の合成樹脂からなる。ここで、囲み部１３ｈは、断面略Ｕ字形状をしており、係合部１４ａは、囲み部１３ｈのＵ字形状の各側端から、段部１６ａを形成するように幅狭となって延出して形成されている（図３参照）。この囲み部１３ｈの内周面には、その周方向に延びる突起１３ｊが形成されている。そして、係合部１４ａには、その先端に、引込カバー３における被係合部１０ａに係止される爪１４ｄが設けられている。
【００３０】
また、第１部材１５と第２部材１６との組付においては、第２部材１６の囲み部１３ｈで第１部材１５の基部１３ｇを覆うようにして、第２部材１６における係合部１４ａを、第１部材１５の孔１４ｃに挿入して組み付ける。そして、これら第１部材１５と第２部材１６とからなるブッシング４の、引込カバー３への取付においては、係合部１４ａの先端部分を、補助ベース１０の被係合孔１０ｂに挿入し、爪１４ｄを被係合孔１０ｂの周縁の被係合部１０ａに係止させる。こうして、第２部材１６の係合部１４ａが、引込カバー３の被係合部１０ａに係合して、ブッシング４は、その引込カバー３（詳細には、補助ベース１０あるいはベース体６）に取り付けられる。もっとも、このブッシング４を引込カバー３に取り付ける際には、予め、カバー７をベース体６から取り外しておく。そして、ブッシング４をベース体６に取り付けた後に、カバー７をベース体６に取り付ける。
【００３１】
次に、以上の構成からなるブッシング４、および配線材２の引込構造５の作用効果について説明する。引込カバー３の引込孔３ａを通る配線材２は、壁１の前面側から裏側に向かう方向の外力を受けている。ここで、ブッシング４は、そのブッシング４の所定の方向１０１が、配線材２が受ける外力の方向１０２とほぼ一致（一致を含む）するようにして、引込孔３ａに配置されている。こうすることで、配線材２が前記外力を受けてその外力の方向１０２にずれようとしても、延設部１３ａの内縁１３ｃ（詳細には通孔１３ｄ）もまた、延設部１３ａの外縁１３ｂに対してその所定の方向１０１（すなわち前記外力の方向１０２）に偏心位置しているため、前記外力の方向１０２への配線材２のずれが制限される。よって、配線材２と、延設部１３ａにおける前記外力の方向１０２とは反対方向の側にある部分との間に隙間が生じ難い。したがって、このように配線材２が外力を受ける場合であっても、延設部１３ａ部分からの、ホコリや水の進入を防ぐことができる。
【００３２】
また、ブッシング４の通孔１３ｄは、前記所定の方向１０１に開放しており、その開放部１３ｅを塞ぐように引込カバー３のベース体６（詳細には、補助ベース１０の受け部１０ｃ）が位置している。そのため、配線材２を配設する際に、その配線材２を開放部１３ｅから通孔１３ｄに嵌めて、その後に、このブッシング４を引込カバー３のベース体６（詳細には、補助ベース１０）に取り付けることで、その配設作業が容易となる。
【００３３】
また、延設部１３ａには、切込み１３ｆが形成されており、この切込み１３ｆにより、延設部１３ａの可撓性が増加する。そのため、このブッシング４は、各種径の配線材２に容易に対応することができる。また、延設部１３ａは複数設けられて、それら延設部１３ａ（２０１、２０２）の内縁１３ｃによって形成される通孔１３ｄ（２１１、２１２）の大きさが異なっている。そのため、このブッシング４は、各種径の配線材２に的確に対応することができる。
【００３４】
また、本体部１３は、延設部１３ａと一体に形成されてその延設部１３ａの外縁１３ｂを囲む基部１３ｇを備えている。このため、延設部１３ａは、その基部１３ｇによって安定して支持される。しかも、基部１３ｇよりも硬質の囲み部１３ｈが、基部１３ｇを囲むため、その囲み部１３ｈと基部１３ｇとによって、延設部１３ａは、一層安定して支持される。
【００３５】
そして、引込カバー３の被係合部１０ａに係合する係合部１４ａは、囲み部１３ｈを有して硬質の材料からなる第２部材１６に設けられているため、ブッシング４は、引込カバー３（詳細には、補助ベース１０あるいはベース体６）に確実に取り付けられる。
【００３６】
ところで、図９は、ブッシング４における第１部材１５を取り外して第２部材１６のみを用いた例を示している。この例においては、第２部材１６に設けられた突起１３ｊと、引込カバー３の補助ベース１０に設けられた突起１０ｄとに係止されるようにして、他の鞘管１２が取り付けられる。そして、配線材２は、その鞘管１２を通って、引込カバー３内に導かれる。
【００３７】
なお、本発明は、上述した実施の形態に限定されるわけではなく、その他種々の変更が可能である。例えば、ブッシング４は、配線材２の引込孔３ａに配置されるものでなくとも、配線材２の引出孔に配置されるものであってもよい。さらに、ブッシング４は、配線材２を通すために用いられなくとも、配管材を通すために用いられてもよい。
【００３８】
また、このブッシングは、配線・配管材の引込・引出孔に配置されるものであれば、引込カバー、引出カバー等のカバー類、スイッチボックス等の各種のボックスに明けられた引込・引出孔に限らず、鉄鋼製の柱等の各種の建材等に明けられた引込・引出孔に配置されるものであってもよい。すなわち、被取付体は、カバー類の他に、各種のボックスとか、各種の建材等、どのようなものでもよい。
【００３９】
また、ブッシング４の延設部１３ａには、切込み１３ｆが形成されるが、この切込み１３ｆは、なくともよい。そして、切込み１３ｆを設ける場合であっても、その数は、任意であり、また、切込み１３ｆの長さも、内縁１３ｃから切り込まれるものの外縁１３ｂに達する必要はなく、途中まで切り込まれるものであってもよい。
【００４０】
また、図１０に示すように、ブッシング２１における、延設部１３ａの内縁１３ｃによって形成される通孔１３ｄは、所定の方向１０１側に開放していなくともよい。また、この図１０に示すブッシング２１においては、囲み部を有する第２部材はなく、延設部１３ａと基部１３ｇとからなる本体部１３を有する第１部材１５のみによって構成されている。そして、被取付体に取り付けるための取付部１４は、第１部材１５に設けられて、基部１３ｇから延出して形成されている。
【００４１】
図１１に示すブッシング２２は、前記図１０に示すブッシング２１と比較すると、切込み１３ｆが、幅を有していない。そして、延設部１３ａの内縁１３ｃによって形成される通孔１３ｄは、閉じている。しかし、配線材あるいは配管材が本体部１３を挿通する際、延設部１３ａの内縁１３ｃ側が湾曲して、この通孔は１３ｄは、開口する。そして、このことは、上述したブッシング４にも、同様に適用することができる。
【図面の簡単な説明】
【００４２】
【図１】この発明に係るブッシング、および配線・配管材の引込・引出構造の一実施の形態の、使用状態を示す縦断面図である。
【図２】同じく、底面図である。
【図３】同じく、引込カバーおよびブッシングの分解斜視図である。
【図４】同じく、ベース体にブッシングを取り付けた状態を示す正面図である。
【図５】同じく、図４におけるＡ−Ａ線による断面図である。
【図６】同じく、ブッシングの底面図である。
【図７】同じく、ブッシングの背面図である。
【図８】同じく、図７におけるＢ−Ｂ線による断面図である。
【図９】同じく、ブッシングの第１部材を外した例の、使用状態を示す縦断面図である。
【図１０】この発明に係るブッシングの、他の例を示す斜視図である。
【図１１】この発明に係るブッシングの、さらに他の例を示す斜視図である。
【図１２】従来のブッシングを示す斜視図である。
【符号の説明】
【００４３】
２  配線材（配線・配管材）
３  引込カバー（被取付体）
３ａ  引込孔（引込・引出孔）
４  ブッシング
５  引込構造（引込・引出構造）
１３  本体部
１３ａ  延設部
１３ｂ  外縁
１３ｃ  内縁
１３ｄ  通孔
１３ｅ  開放部
１３ｆ  切込み
１３ｇ  基部
１３ｈ  囲み部
１４  取付部
１４ａ  係合部
１５  第１部材
１６  第２部材
１０１  所定の方向
１０２  外力の方向
２０１  第１の延設部（延設部）
２０２  第２の延設部（延設部）
２１１  第１の通孔（通孔）
２１２  第２の通孔（通孔）
【図１】
2005237120.tif 000003
【図２】
2005237120.tif 000004
【図３】
2005237120.tif 000005
【図４】
2005237120.tif 000006
【図５】
2005237120.tif 000007
【図６】
2005237120.tif 000008
【図７】
2005237120.tif 000009
【図８】
2005237120.tif 000010
【図９】
2005237120.tif 000011
【図１０】
2005237120.tif 000012
【図１１】
2005237120.tif 000013
【図１２】
2005237120.tif 000014